(57)【要約】録音再生複合システム（１０）のユーザインタフェースは、ユーザが音楽をコピーしたり、焼き付けたり、再生したり、聴いたり、管理したり、ダウンロードできるよう一連の画面を生成し表示するよう設計されたユーザ・インタフェース・ソフトウェア（２０）、及び該ユーザ・インタフェース・ソフトウェア（２０）によって生成された画面を表示するタッチ・センシティブ・ディスプレイ（１６）を有する。このタッチ・センシティブ・ディスプレイ（１６）はユーザが入力するコマンドを受け取るように作られ、ユーザ・インタフェース・ソフトウェア（２０）はこれらコマンドを処理して、録音再生複合装置（１０）に音楽をコピー、焼き付け、再生、管理、及びダウンロードさせるよう設計される。
2008505375.tif 000002
【特許請求の範囲】
【請求項１】
音楽ＣＤを記録、再生、及び焼き付けるため、音楽プレイリストを作成、記録、及び再生するため、音楽を外部デバイスへエクスポートするため、音楽サーバコンピュータシステムから利用できるデジタル無線チャンネルにアクセス及び再生するため、並びに前記音楽サーバコンピュータシステムから音楽を購入、ダウンロード、及び記録するための録音再生複合装置と、
該録音再生複合装置に、音楽ＣＤを記録、再生及び焼き付けさせ、音楽プレイリストを作成、記録、及び再生させ、音楽を外部デバイスへエクスポートさせ、前記音楽サーバコンピュータシステムから利用できるデジタル無線チャンネルにアクセス及び再生させ、並びに前記音楽サーバコンピュータシステムから音楽を購入、ダウンロード、及び記録させるコマンドをユーザが入力できる前記録音再生複合装置用のユーザインタフェースと、
を備える録音再生複合システム。
【請求項２】
前記録音再生複合装置が、音楽ＣＤを再生及び焼き付けるＣＤドライブと、音楽ＣＤ、音楽プレイリスト、及び前記音楽サーバコンピュータシステムからの音楽を記録する音楽データベースと、音楽を外部デバイスへエクスポートする録音／再生通信システムと、デジタル無線チャンネルにアクセスし、かつ、前記音楽サーバコンピュータシステムから音楽をダウンロードするインターネット通信システムと、前記ＣＤドライブに音楽ＣＤを再生及び焼き付けさせるため、並びに前記録音再生複合装置に音楽ＣＤ、音楽プレイリスト、及び前記音楽サーバコンピュータシステムからの音楽を前記音楽データベースに記録させ、音楽プレイリストを作成及び再生させ、音楽を前記録音／再生通信システムを使用して外部デバイスへエクスポートさせ、前記音楽サーバコンピュータシステムからデジタル無線チャンネルを再生させ、並びに前記音楽サーバコンピュータシステムから音楽を購入及びダウンロードさせるための録音／再生コンピュータシステム及び録音／再生ソフトウェアと、を備える請求項１に記載のシステム。
【請求項３】
前記ユーザインタフェースに、前記録音再生複合装置に記録された音楽の音楽リストを表示及びスクロールさせ、前記録音再生複合装置に記録されたプレイリストを表示及びスクロールさせ、並びに前記音楽サーバコンピュータシステムから利用できるデジタル無線チャンネルのチャンネルリストを表示及びスクロールさせるコマンドをユーザが入力できるように、前記ユーザインタフェースが操作可能である請求項１記載のシステム。
【請求項４】
前記ユーザインタフェースに、前記録音再生複合装置に記録されたアルバムのアルバムリストを表示及びスクロールさせ、前記録音再生複合装置に記録された曲の曲リストを表示及びスクロールさせ、並びに前記アルバムリストから曲リストへ交互に切り替えさせるコマンドをユーザが入力できるように、前記ユーザインタフェースが操作可能である請求項１に記載のシステム。
【請求項５】
前記ユーザインタフェースにより表示されたアルバムの前記アルバムリストが、該アルバムリストに含まれる各アルバムに関連したアルバムカバーの画像、該アルバムリストに含まれる各アルバム名、及び該アルバムリストに含まれる各アルバムを創作したアーティスト名を含む請求項４に記載のシステム。
【請求項６】
前記アルバムリスト中の各アルバムに関連した前記アルバムカバーの画像、前記アルバムの題名、前記アルバムを創作した前記アーティスト名、前記アルバムと関連するジャンル、前記アルバムを最初にリリースした日付、前記アルバムに含まれる各曲の曲名、及び前記アルバムに含まれる各曲の時間を含む各アルバムに関する詳細なアルバム情報を前記ユーザインタフェースに表示させるコマンドをユーザが入力できるように、前記ユーザインタフェースが操作可能である請求項５に記載のシステム。
【請求項７】
前記ユーザインタフェースに、前記アルバムリストに含まれるアルバムの題名を編集させ、前記アルバムリストに含まれるアルバムに関連するアーティスト名を編集させ、及び前記録音再生複合装置からアルバムを削除させるコマンドをユーザが入力できるように、前記ユーザインタフェースが操作可能である請求項６に記載のシステム。
【請求項８】
前記録音再生複合装置に記録されたプレイリストのリストであり、該プレイリストのリストに含まれる各プレイリストの題名を含むプレイリストのリスト、及び該プレイリストのリストに含まれる各プレイリストの時間を前記ユーザインタフェースに表示させるコマンドをユーザが入力できるように、前記ユーザインタフェースが操作可能である請求項１に記載のシステム。
【請求項９】
前記プレイリストのリスト中の各プレイリストに含まれる各アルバムに関連した前記アルバムカバーの画像、前記プレイリストの題名、前記プレイリストに含まれる曲の数、前記プレイリストの全再生時間、及び前記プレイリストに含まれる曲のリストを前記ユーザインタフェースに表示させるコマンドをユーザが入力できるように、前記ユーザインタフェースが操作可能である請求項８に記載のシステム。
【請求項１０】
前記ユーザインタフェースに、プレイリストを作成させ、プレイリストのリストに含まれるプレイリストに音楽を追加させ、前記プレイリストのリストに含まれるプレイリストの題名を編集させ、及び前記録音再生複合装置からプレイリストを削除させるコマンドをユーザが入力できるように、前記ユーザインタフェースが操作可能である請求項１に記載のシステム。
【請求項１１】
前記録音再生複合装置インタフェースに記録された曲のリストであり、各曲に関連するアルバムのアルバムカバー画像及びアルバムの題名、各曲の題名並びに各曲を創作したアーティストの名前を含む該曲リストを前記ユーザインタフェースに表示させるコマンドをユーザが入力できるように、前記ユーザインタフェースが操作可能である請求項１に記載のシステム。
【請求項１２】
前記ユーザインタフェースに、前記曲リストに含まれる曲を音楽プレイリストに追加させ、前記曲リストに含まれる曲の題名を編集させ、及び前記録音再生複合装置から曲を削除させるコマンドをユーザが入力できるように、前記ユーザインタフェースが操作可能である請求項１１に記載のシステム。
【請求項１３】
前記ユーザインタフェースに、アーティスト名、アルバムタイトル、及びジャンルに基づき前記録音再生複合装置に記録された音楽のサーチを実行させ、並びにこのサーチの結果を表示させるコマンドをユーザが入力できるように、前記ユーザインタフェースが操作可能である請求項１に記載のシステム。
【請求項１４】
前記ユーザインタフェースに、前記録音再生複合装置に記録された音楽と外部デバイスに記録された音楽を同期させるコマンドをユーザが入力できるように、前記ユーザインタフェースが操作可能である請求項１に記載のシステム。
【請求項１５】
前記音楽サーバコンピュータシステムから利用できるデジタル無線チャンネルのチャンネルリストであり、各デジタル無線チャンネルと関連するアルバムカバー画像又はその他の情報の画像を含むチャンネルリスト、各デジタル無線チャンネルの名前、及び各デジタル無線チャンネルから利用できる音楽の解説又はその他の情報を含む該チャンネルリストを前記ユーザインタフェースに表示させるコマンドをユーザが入力できるように、前記ユーザインタフェースが操作可能である請求項１に記載のシステム。
【請求項１６】
前記チャンネルリストに、前記デジタル無線チャンネルと関連するアルバムカバー画像又はその他の画像、前記デジタル無線チャンネルの名前、該デジタル無線チャンネルで現在放送中の曲の題名又はその他の情報、及び前記デジタル無線チャンネルから利用できる曲のリスト又はその他の情報を含む各デジタル無線チャンネルに関する詳細なチャンネル情報を、前記ユーザインタフェースに表示させるコマンドをユーザが入力できるように、前記ユーザインタフェースが操作可能である請求項１５に記載のシステム。
【請求項１７】
前記ユーザインタフェースに、前記音楽サーバコンピュータシステムから販売及びダウンロードするのに利用できる特集音楽の特集音楽リストを表示及びスクロールさせ、並びに前記音楽サーバコンピュータシステムから販売及びダウンロードするのに利用できる音楽のジャンルリストを表示及びスクロールさせるコマンドをユーザが入力できるように、前記ユーザインタフェースが操作可能である請求項１に記載のシステム。
【請求項１８】
前記ユーザインタフェースに、アーティスト名、アルバムタイトル、及び曲タイトルに基づき、前記音楽サーバコンピュータシステムから販売及びダウンロードするのに利用できる音楽のサーチを実行させ、並びにこのサーチ結果を表示させるコマンドをユーザが入力できるように、前記ユーザインタフェースが操作可能である請求項１に記載のシステム。
【請求項１９】
タッチ・センシティブ・ディスプレイと、
通信システムと、
前記タッチ・センシティブ・ディスプレイ及び前記通信システムに接続されたコンピュータシステムと、
該コンピュータシステムに、前記通信システムを使用してユーザインタフェースと接続された録音再生複合装置に記録された音楽に関する音楽情報を受信させ、ユーザに該音楽情報を含む一連の画面を前記タッチ・センシティブ・ディスプレイを使用して表示させ、前記録音再生複合装置に実行して欲しい機能を特定するユーザコマンドを、前記タッチ・センシティブ・ディスプレイや前記一連の画面を使用してユーザに入力可能とさせ、及び前記ユーザコマンドに応答し、前記通信システムを使用して前記録音再生複合装置に前記特定した機能を実行させる制御信号を生成し発信させるように操作可能なユーザ・インタフェース・ソフトウェアと、を備えるシステム。
【請求項２０】
前記録音再生複合装置に、音楽ＣＤを記録、再生、及び焼き付けさせ、音楽プレイリストを作成、記録及び再生させ、音楽を外部デバイスへエクスポートさせ、音楽サーバコンピュータシステムから利用できるデジタル無線チャンネルにアクセス及び再生させ、並びに前記録音再生複合装置と接続された音楽サーバコンピュータシステムから音楽を購入、ダウンロード、及び記録させるユーザコマンドをユーザが入力できるように、前記コンピュータシステムを前記ユーザ・インタフェース・ソフトウェアが操作可能である請求項１９に記載のシステム。
【請求項２１】
前記コンピュータシステムに、前記録音再生複合装置に記録された音楽の音楽リストを表示及びスクロールさせ、前記録音再生複合装置に記録されたプレイリストのリストを表示及びスクロールさせ、並びに前記音楽サーバコンピュータシステムから利用できるデジタル無線チャンネルのチャンネルリストを表示及びスクロールさせるユーザコマンドをユーザが入力できるように、前記コンピュータシステムをユーザ・インタフェース・ソフトウェアが操作可能である請求項１９に記載のシステム。
【請求項２２】
前記コンピュータシステムに、前記録音再生複合装置に記録されたアルバムのアルバムリストを表示及びスクロールさせ、前記録音再生複合装置に記録された曲の曲リストを表示及びスクロールさせ、並びに前記アルバムリストから前記曲リストへ交互に切り替えさせるコマンドをユーザが入力できるように、前記コンピュータシステムを前記ユーザインタフェースが操作可能である請求項１９に記載のシステム。
【請求項２３】
前記コンピュータシステムにより表示されるアルバムの前記アルバムリストが、該アルバムリストに含まれる各アルバムと関連のあるアルバムカバー画像、前記アルバムリストに含まれる各アルバムの題名、及び前記アルバムリストに含まれる各アルバムを創作したアーティストの名前を含む請求項２２に記載のシステム。
【請求項２４】
前記アルバムリストに、該アルバムに関連のある前記アルバムカバー画像、前記アルバム名、前記アルバムを創作した前記アーティストの名前、前記アルバムと関連するジャンル、前記アルバムを最初にリリースした日付、前記アルバムに含まれる各曲の曲名、及び前記アルバムに含まれる各曲の時間を含む各アルバムに関する詳細なアルバム情報を前記コンピュータシステムに表示させるコマンドをユーザが入力できるように、前記コンピュータシステムを前記ユーザ・インタフェース・ソフトウェアが操作可能である請求項２３に記載のシステム。
【請求項２５】
前記コンピュータシステムに、前記アルバムリストに含まれるアルバムの題名を編集させ、前記アルバムリストに含まれるアルバムに関連するアーティスト名を編集させ、及び前記録音再生複合装置からアルバムを削除させるコマンドをユーザが入力できるよう前記コンピュータシステムを前記ユーザ・インタフェース・ソフトウェアが操作可能である請求項２４に記載のシステム。
【請求項２６】
前記録音再生複合装置に記録されたプレイリストのリストであって、該プレイリストのリストに含まれる各リストの題名及び時間を含むプレイリストのリストを前記コンピュータシステムに表示させるコマンドをユーザが入力できるように、前記コンピュータシステムを前記ユーザ・インタフェース・ソフトウェアが操作可能である請求項１９に記載のシステム。
【請求項２７】
前記プレイリストに、前記プレイリストに含まれるアルバムに関するアルバムカバーの画像、前記プレイリストの題名、前記プレイリストに含まれる曲の数、前記プレイリストの全再生時間、及び前記プレイリストに含まれる曲のリストを含む各プレイリストに関する詳細なプレイリスト情報を前記コンピュータシステムに表示させるコマンドをユーザが入力できるように、前記コンピュータシステムを前記ユーザ・インタフェース・ソフトウェアが操作可能である請求項２６に記載のシステム。
【請求項２８】
前記コンピュータシステムに、プレイリストを作成させ、プレイリストのリストに含まれるプレイリストに音楽を追加させ、該プレイリストのリストに含まれるプレイリストの題名を編集させ、及び前記録音再生複合装置からプレイリストを削除させるコマンドをユーザが入力できるように、前記コンピュータシステムを前記ユーザ・インタフェース・ソフトウェアが操作可能である請求項１９に記載のシステム。
【請求項２９】
前記録音再生複合装置インタフェースに記録された曲の曲リストであり、該曲リストに含まれる各曲に関連するアルバムのアルバムカバー画像及びアルバムの題名を含む曲リスト、並びに該曲リストに含まれる各曲を創作したアーティストの名前を前記コンピュータシステムに表示させるコマンドをユーザが入力できるように、前記コンピュータシステムを前記ユーザ・インタフェース・ソフトウェアが操作可能である請求項１９に記載のシステム。
【請求項３０】
前記コンピュータシステムに、前記曲リストに含まれる曲を音楽プレイリストに追加させ、前記曲リストに含まれる曲の題名を編集させ、及び前記録音再生複合装置から曲を削除させるコマンドをユーザが入力できるように、前記コンピュータシステムを前記ユーザ・インタフェース・ソフトウェアが操作可能である請求項２９に記載のシステム。
【請求項３１】
前記コンピュータシステムに、アーティスト名、アルバムタイトル、及びジャンルに基づき前記録音再生複合装置に記録された音楽のサーチを実行させ、並びにこのサーチの結果を表示させるコマンドをユーザが入力できるように、前記コンピュータシステムを前記ユーザ・インタフェース・ソフトウェアが操作可能である請求項１９に記載のシステム。
【請求項３２】
前記コンピュータシステムに、前記録音再生複合装置に記録された音楽と外部デバイスに記録された音楽を同期させるコマンドをユーザが入力できるように、前記コンピュータシステムを前記ユーザ・インタフェース・ソフトウェアが操作可能である請求項１９に記載のシステム。
【請求項３３】
前記音楽サーバコンピュータシステムから利用できるデジタル無線チャンネルのチャンネルリストであり、該チャンネルリストに含まれる各デジタル無線チャンネルと関連するアルバムカバー画像又はその他の情報の画像、各デジタル無線チャンネルの名前、及び各デジタル無線チャンネルから利用できる音楽の解説又はその他の情報を含むチャンネルリストを前記コンピュータシステムに表示させるコマンドをユーザが入力できるように、前記コンピュータシステムを前記ユーザ・インタフェース・ソフトウェアが操作可能である請求項１９に記載のシステム。
【請求項３４】
前記チャンネルリストに、前記デジタル無線チャンネルと関連するアルバムカバー画像又はその他の画像、前記デジタル無線チャンネルの名前、該デジタル無線チャンネルで現在放送中の曲の題名又はその他の情報、及び前記デジタル無線チャンネルから利用できる曲のリスト又はその他の情報を含む各デジタル無線チャンネルに関する詳細なチャンネル情報を、前記コンピュータシステムに表示させるコマンドをユーザが入力できるように、前記コンピュータシステムを前記ユーザ・インタフェース・ソフトウェアが操作可能である請求項３３に記載のシステム。
【請求項３５】
前記コンピュータシステムに、アーティスト名、アルバムタイトル、及びジャンルに基づき、前記音楽サーバコンピュータシステムから利用できるデジタル無線チャンネルのサーチを実行させ、並びにこのサーチ結果を表示させるコマンドをユーザが入力できるように、前記コンピュータシステムを前記ユーザ・インタフェース・ソフトウェアが操作可能である請求項１９に記載のシステム。
【請求項３６】
前記ユーザインタフェースに、前記音楽サーバコンピュータシステムから販売及びダウンロードするのに利用できる特集音楽の特集音楽リストを表示及びスクロールさせ、並びに前記音楽サーバコンピュータシステムから販売及びダウンロードするのに利用できる音楽のジャンルリストを表示及びスクロールさせるコマンドをユーザが入力できるように、前記コンピュータシステムを前記ユーザ・インタフェース・ソフトウェアが操作可能である請求項１９に記載のシステム。
【請求項３７】
前記コンピュータシステムに、アーティスト名、アルバムタイトル、及び曲タイトルに基づき、前記音楽サーバコンピュータシステムから販売及びダウンロードするのに利用できる音楽のサーチを実行させ、並びにこのサーチ結果を表示させるコマンドをユーザが入力できるように、前記コンピュータシステムを前記ユーザ・インタフェース・ソフトウェアが操作可能である請求項１９に記載のシステム。
【発明の詳細な説明】
【背景技術】
【０００１】
本発明は一般にコンピュータシステムのユーザ・インタフェースに関する。更に詳細には、本発明は、２００３年４月４日に出願し、発明の名称「コンパクトディスク録音再生複合システム」（「８２１出願」）の同時継続中の米国特許出願第１０／４０６，８２１号に記載したＣＤ録音再生複合システム用のユーザ・インタフェース・ソフトウェアに関する。
【０００２】
「８２１」出願は、録音再生複合装置及び遠隔制御装置を備えるＣＤ録音再生複合システムを開示している。この録音再生複合装置は、ユーザが音楽ＣＤから録音再生装置に音楽をコピー、録音再生装置からブランクＣＤに音楽を焼き付け、及び音楽サーバから音楽をダウンロードして記録することができるように設計されている。また、この録音再生装置は、音楽ＣＤからの音楽、録音再生装置に記録された音楽及び録音再生装置に記録せずに音楽サーバからダウンロードした音楽をユーザが再生して聴くことができるように設計されている。
【０００３】
この遠隔制御装置は録音再生装置と通信し制御するように設計されている。この機能を容易に行うために、該遠隔制御装置はタッチ・センシティブ・ディスプレイと遠隔制御ソフトウェアを備えている。「８２１」出願で説明されているように、遠隔制御ソフトウェアは一連の画面又はメニューを生成するように設計され、ユーザは該録音再生装置を用いて音楽を再生、傾聴、コピー、及び焼き付けすることができる。タッチ・センシティブ・ディスプレイはこれら画面をユーザに表示すると共にユーザからの入力コマンドを受信するのに使用される。このユーザからの入力は遠隔制御ソフトウェアによって処理され、録音再生装置の様々な機能を実行させるのに用いられる。
【０００４】
「８２１」出願を出願した後、この「８２１」出願の譲受人は新規な遠隔制御ソフトウェアを開発した。該ソフトウェアはその前のバージョンのソフトウェアによって行われた全ての機能を実行できるほか、様々な追加の機能を実行することを可能とするものである。そこで本出願の目的はこの新規な遠隔制御ソフトウェアを詳細に説明することにある。
【０００５】
【特許文献１】米国特許出願第１０／４０６，８２１号
【発明の開示】
【０００６】
本発明の遠隔制御ソフトウェアは、以後ユーザ・インタフェース・ソフトウェアと称するが、該ソフトウェアは前述の「８２１」出願で説明した遠隔制御装置及び録音再生装置を用い、「８２１」出願で説明した遠隔制御ソフトウェアに置き換えて設計されている。さらに具体的に言うと、該ユーザ・インタフェース・ソフトウェアは遠隔制御装置に組み込まれているタッチ・センシティブ・ディスプレイで使用するよう設計されている。ユーザ・インタフェース・ソフトウェアによって生成される画面を表示し、かつユーザからの入力コマンドを受信するタッチ・センシティブ・ディスプレイ、及びユーザ・インタフェース・ソフトウェアは、共働機能し「８２１」出願に記載した録音再生複合装置用のユーザインタフェースを生成する。
【０００７】
ユーザ・インタフェース・ソフトウェアは、ユーザが音楽ＣＤから録音再生装置に音楽をコピー、録音再生装置に記録された音楽をブランクＣＤに焼き付け、及び録音再生装置に記録された音楽を外部デバイスにコピーできるようにする画面を生成するよう設計される。ユーザ・インタフェース・ソフトウェアは、個々の楽曲、アルバム及びプレイリストを含め、音楽ＣＤに記録された音楽、録音再生装置に記録された音楽及び「８２１」出願に記載した音楽サーバからダウンロードされるデジタル無線音楽のチャンネルをユーザが見たり、選択したり、聴いたりできるように設計される。また、ユーザ・インタフェース・ソフトウェアは、録音再生装置に記録された音楽を用いてユーザが音楽プレイリストを作成、編集、及び削除でき、また、「８２１」出願に記載した音楽サーバから音楽を見たり、選択したり、購入したり、ダウンロードできるように設計される。
【発明を実施するための最良の形態】
【０００８】
本発明のユーザ・インタフェース・ソフトウェアは、２００３年４月４日に出願した発明の名称「コンパクトディスク録音再生複合システム」（「８２１出願」）の同時継続中の米国特許出願第１０／４０６，８２１号に記載した録音再生複合システムで用いるように設計される。「８２１」出願で詳細に説明したように、この録音再生複合システムは、音楽をコピーしたり、聴いたり、管理したり、ダウンロードするのに使用できる録音再生複合装置と、この録音再生複合装置を制御するのに使用する遠隔制御装置とを備えている。この遠隔制御装置は遠隔制御ソフトウェアを備え、遠隔制御装置を使用して録音再生複合装置を制御可能にする。また、本発明のユーザ・インタフェース・ソフトウェアはこのソフトウェアを交換するように設計されている。これら装置双方の構造や動作に関する詳細な情報は「８２１」出願中に記載されており、かかる情報は本出願中で参照することで援用する。
【０００９】
図１は、録音再生複合装置１２と遠隔制御装置１４を備える「８２１」出願の録音再生複合システム１０の一実施形態を示すブロック図である。かかる図に示した如く、遠隔制御装置１４は、タッチ・センシティブ・ディスプレイ１６、本発明のユーザ・インタフェース・ソフトウェア２０、遠隔制御コンピュータシステム２２及び遠隔制御通信システム２４を備え、録音再生複合装置１２は、ＣＤドライブ２６、音楽データベース２８、録音／再生コンピュータシステム３０、録音／再生ソフトウェア３２、録音／再生通信システム３４、ローカル・コンパクトディスク・データベース（ＣＤＤＢ）３６、ローカル画像データベース３８、及び録音／再生インターネット通信システム４０を備えている。タッチ・センシティブ・ディスプレイ１６、遠隔制御コンピュータシステム２２、遠隔制御通信システム２４、ＣＤドライブ２６、録音／再生コンピュータシステム３０、録音／再生ソフトウェア３２、録音／再生通信システム３４及び録音／再生インターネット通信システム４０は、全て「８２１」出願の図２及び図３に示した対応するそれらの構成要素と同一である。音楽データベース２８、ローカルＣＤＤＢ３６及びローカル画像データベース３８は、全て「８２１」出願で説明し図２に示した録音／再生メモリ２４と同一の録音／再生メモリ（図示せず）に含まれる。
【００１０】
本発明のユーザ・インタフェース・ソフトウェア２０（「ＵＩソフトウェア２０」）は、録音再生複合装置１２を使用してユーザが音楽をコピーしたり、聴いたり、管理したり、ダウンロードできるように設計される。ＵＩソフトウェア２０は、タッチ・センシティブ・ディスプレイ１６を使用してユーザ用の情報画面を遠隔制御装置１４に生成させ表示させることでこの機能を達成し、該タッチ・センシティブ・ディスプレイ１６を使用してユーザによって入力されるユーザコマンドを受信し、該ユーザコマンドに応じて録音再生複合装置１２にコマンドを生成し送信して該装置１２の様々な機能を実行させる。
【００１１】
ＵＩソフトウェア２０によって表示される情報は、録音再生複合装置１２に記録された音楽に関する情報、音楽サーバコンピュータシステム４２（図１参照）から利用できる音楽、及び録音再生複合装置１２そのものに関するステータス情報を含んでいる。音楽サーバコンピュータシステム４２は、「８２１」出願で詳細に説明し図６に示した音楽サーバコンピュータシステム１００と同一であり、２００３年４月４日に出願し、発明の名称「音楽配信システム」（「８１１出願」）の同時継続中の米国特許出願第１０／４０７，８１１号に記載されている。本出願では参照することで「８１１」出願を援用する。
【００１２】
本発明の譲受人は本発明の２つの代替形態である床置きモデルと部品モデルを開発した。これらの形態をそれぞれ図１１３、図１１４に示す。
【００１３】
本発明のＵＩソフトウェア２０によって生成される最初の画面は、該ソフトウェアが本出願の譲受人であるギブソン・ギター・コーポレーション（Ｇｉｂｓｏｎ  Ｇｕｉｔａｒ  Ｃｏｒｐｏｒａｔｉｏｎ）により製造されたものであることを示すスプラッシュ画面である。図２にこれら画面の３つの実施例を示す。
【００１４】
ＵＩソフトウェア２０によって生成される次の画面は、メインメニュー画面である。この画面は、録音再生複合装置１２を用いてユーザが音楽を聴いたり、管理したり、ダウンロードするのに使われる。また、ユーザはこの画面により録音再生複合システムの設定やプリファレンスを調整することもできる。この画面の一例を図３に示す。この画面の右下隅の小さなディスクは、現在ＣＤが録音再生複合装置１２により再生中であることを示している。
【００１５】
ユーザが「音楽を聴く」を選択すると、ＵＩソフトウェア２０は遠隔制御装置１４に「音楽を聴く」メイン画面を生成させ表示させる。この画面は、録音再生複合装置１２に記録された音楽を聴いたり、録音再生複合装置１２に記録されたプレイリストを聴いたり、音楽サーバ４２から受信されるデジタル無線チャンネルを聴いたりするのに使われる。この「音楽を聴く」画面を図４に示す。
【００１６】
「音楽を聴く」メイン画面から「音楽を閲覧」ボタンを選択することで、ユーザは録音再生複合装置に記録された音楽を一覧することができる。ユーザが「音楽を閲覧」ボタンを選択すると、ＵＩソフトウェア２０は録音再生複合装置１２に記録されたアルバムのリストを含む「アルバム一覧」画面（図５参照）を遠隔制御装置１４に生成させて表示させる。この一覧画面は録音再生複合装置１２に記録された音楽を一覧するためのデフォルト設定であり、各アルバムのアルバム画像、各アルバムのタイトル及び各アルバムに関係するアーティスト又はアーティストたちを含んでいる。
【００１７】
図５に示したように、「アルバム一覧」画面にはユーザが選択することのできる「戻る」ボタン及び「ホーム」ボタンがある。ユーザが「戻る」ボタンを押すと、ＵＩソフトウェア２０は「アルバム一覧」画面が表示される直前に表示されていた画面を生成する。ユーザが「ホーム」ボタンを押すと、ＵＩソフトウェア２０は図３に示したメインメニュー画面を再表示する。
【００１８】
ＵＩソフトウェア２０により、ユーザは図５に示した画面右側にあるスクロールバーを使って録音再生複合装置１２に記録されたアルバム間をスクロールできる。また以下更に詳細に説明するように、該ＵＩソフトウェア２０により、ユーザは「アルバム一覧」画面上の「サーチ」ボタン又は「一覧変更」ボタンをただクリックするだけで、アルバム内をサーチ又はアルバム一覧を曲一覧に変更することもできる。
【００１９】
図６はユーザが特定のアルバムをクリックするのに応答してＵＩソフトウェア２０によって生成される画面であり、「アルバム詳細」画面と呼ぶ。この画面で、ユーザはアルバムに含まれる全ての曲を再覧でき、リストにある曲の一つを選択することでアルバムから一曲を選択し再生することができ、また「再生」ボタンをクリックすることでこのアルバムを再生することができる。また、ユーザは図６に示した小さな「ｉ」アイコンをクリックすることでアーティストに関する追加情報を取得することもできる。ユーザがこの「ｉ」アイコンをクリックすると、ＵＩソフトウェア２０は図９１及び図９２に示した画面を生成する。また、ユーザは、「オプション」ボタンをクリックすることによって、アルバムの題名を編集し、アルバムに関係するアーティストを編集し、あるいは録音再生複合装置１２からアルバムを消去することもできる。ユーザにこれらの機能を実行させることのできるＵＩソフトウェア２０により生成される画面を図７−図１０に示す。図８及び図９にあるブロックの列は一般的なキーボード部を表示したものであり、これについては後の画面でより詳細に示し説明する。
【００２０】
ＵＩソフトウェア２０は、アーティスト名、アルバムタイトル、ジャンルによって、録音再生複合装置１２に記録されたアルバムをサーチするのに使用できる。この目的のためにＵＩソフトウェア２０によって生成される画面の一般的な形態を図１１に示す。ユーザが図１１に示した「アーティスト名」ボタンをクリックすると、ＵＩソフトウェア２０は、ユーザがアーティストの名前を入力するため、一般的なコンピュータキーボードやプロンプトに見られるキーを表すボタンを有する画面（図１２参照）を生成表示する。ユーザがアーティスト名を入力するのに応答して、ＵＩソフトウェア２０は入力された文字に基づくサーチで見つかったアルバム数を示す画面を生成する。この画面を図１３に示す。数字や記号は、図１２に示した「Ｎｕｍ／Ｓｙｍ」ボタンをクリックし、その結果表示される図１４に示した画面を使用することで入力することができる。
【００２１】
サーチの結果を参照するためには、ユーザは図１２に示した「結果参照」ボタンをクリックし、するとＵＩソフトウェア２０はサーチ結果を表示する画面を生成する。本発明のＵＩソフトウェア２０によって生成された結果画面の一例を図１５に示す。この画面からユーザは、「サーチクリア」ボタンをクリックしてサーチが開始される前に表示されていた画面に戻す、「再度サーチ」ボタンをクリックして別のサーチを実行する、あるいは「一覧変更」ボタンをクリックしてサーチによって見つかったアルバムに含まれる曲を一覧することができる。
【００２２】
また、ユーザが図１１に示した「アーティストタイトル」ボタンをクリックすることでアルバムタイトルに基づくサーチが実行される場合にも、図１２−図１５に示した画面と同様の画面がＵＩソフトウェア２０によって生成される。
【００２３】
ユーザがジャンルに基づきアルバム中を検索すると、ＵＩソフトウェア２０によって若干異なる一式の画面が生成される。図１６及び図１７に示したように、ＵＩソフトウェア２０はユーザが選択するためのジャンルリストを生成し（図１６）、ユーザがリストされたジャンルの一つを選択すると、ＵＩソフトウェア２０は、選択されたジャンルの範囲内に含まれる録音再生複合装置１２に記録された全アルバムのリストを含むサーチ結果画面（図１７）を生成する。前述したアーティスト名やタイトルでのサーチの場合と同様に、ユーザは図１７の適切なボタンをクリックすることで、ジャンルサーチ結果画面をクリアし、別のジャンルのサーチを実行し、あるいはジャンルのサーチ結果一覧をアルバム一覧から曲一覧に変更することができる。
【００２４】
図５に戻って参照すると、ユーザが「一覧変更」ボタンをクリックすると、ＵＩソフトウェア２０は図１８に示した「一覧変更」画面を生成する。ユーザはこの画面を用いて図５に示した「アルバム一覧」画面を図１９に示した「曲一覧」画面に変更する。「曲一覧」画面は録音再生複合装置１２に記録された全曲のリストを有し、ユーザは「アルバム一覧」画面のアルバムのリストをスクロールするのと同じやり方でこのリスト内をスクロールできる。また、リスト中の各曲はその曲に関連するアルバムのアルバムカバーの小さな画像も有している。
【００２５】
アルバム一覧から曲一覧に変更することの他、ＵＩソフトウェア２０によって表示されるアルバムや曲はアーティスト名、アルバムタイトル、及び曲タイトルによってソートすることもできる。図１１１及び図１１２は、ユーザがＵＩソフトウェア２０を用いて実行できる音楽一覧のソート過程及び変更過程を示している。
【００２６】
アルバム中に含まれる曲を再生する際、ＵＩソフトウェア２０によって、ユーザはこれらの曲をシャッフルしてこれらをランダムに再生したり、これらの曲の内の一曲又は全曲の再生を繰り返したり、もしくはその双方を行うことができる。ユーザにこれらオプションの選択を可能とさせるＵＩソフトウェア２０により生成される画面を図２０に示す。ユーザがこれらオプションの何れかを選択すると、そのことを表示するため「アルバム詳細」画面上に表示が現れる。図２１はこれらオプションの何れも選択されていないことを示す表示（強調表示された「ＯＦＦ」の文字を含む画面）を含み、図２２は１の曲のリピートが選択されていることを示す表示（「ＯＦＦ」の文字が前あった場所に強調表示された「１」を含む画面）を含み、及び図２３は全曲のリピート及びシャッフルが選択されていることを示す表示（強調表示された「Ａｌｌ」表示及び「Ｓｈｕｆｆｌｅ」表示を含む画面）を含む。
【００２７】
また、ＵＩソフトウェア２０は編集機能及び同期化機能を容易にする高度機能も備えている。ユーザが「アルバム一覧」画面のアルバムボタンを押し留めると、ＵＩソフトウェア２０は「ポップアップ」吹き出し画面（図２４）を生成する。ユーザは該画面によってアルバムの記録を同期化でき、遠隔制御装置１４などの別のデバイスに記録されているのと同様の形式で録音再生複合装置１２に記録できる。アルバムの同期化を図１０８及び図１０９に示す。また、図２４に示したように、「ポップアップ」吹き出し画面により、ユーザはアルバム名を編集したり、アルバムに関連するアーティスト名を編集したり、あるいは録音再生複合装置１２からアルバムを削除することもできる。
【００２８】
また、「アルバム詳細一覧」画面（図２５）及び「曲一覧」画面（図２６）には同様の高度機能が設けられている。これら画面の「ポップアップ」吹き出し画面により、ユーザは曲を同期、編集、及び削除することができるのに加え、曲を曲プレイリストに加えることもできる。プレイリストの再生、作成、及び編集は以下詳細に説明する。
【００２９】
図２７を参照すると、ＵＩソフトウェア２０により、ユーザは録音再生複合装置１２を用いて、再生曲のボリュームを調整したり消音したりすることができる。
【００３０】
ユーザが図４に示した「プレイリスト」ボタンをクリックすると、本発明のＵＩソフトウェア２０は録音再生複合装置１２に記録された音楽プレイリストのリストを遠隔制御装置１４に生成表示させる。「プレイリスト一覧」画面と称する、かかる画面の一般例を図２８に示す。ユーザがこの図に表示されたプレイリストの一つを選択すると、ＵＩソフトウェア２０は、選択されたプレイリストに含まれる曲全てのリストを含む「プレイリスト詳細」画面（図２９）を生成する。ユーザがその曲をただクリックするだけでプレイリスト中の曲が再生される。ユーザが「プレイリスト作成」ボタンをクリックすることでプレイリストが作成される。プレイリストを作成する過程の一例を図１０５に示す。
【００３１】
「プレイリスト詳細」画面は「アルバム詳細」画面とほとんど同じで、「アルバム詳細一覧」画面にあるボタンと同じ方法で操作する「再生」「オプション」「戻る」及び「ホーム」ボタンを備えている。また、「プレイリスト詳細」画面はプレイリストに含まれる曲のそれぞれに「編集」ボタンを有している。これら「編集」ボタンをクリック＆ホールドすることで、ユーザは曲をプレイリストの上下に移動でき、それによってプレイリストの再生順序を変更し、又は曲をプレイリストから削除することができる。「編集」ボタンがクリック＆ホールドされた際にＵＩソフトウェア２０によって生成される画面を図３０に示す。
【００３２】
ＵＩソフトウェア２０によって、ユーザは、図２９に示した「オプション」ボタンをクリックすることで、音楽をプレイリストに追加、プレイリスト名を編集、及びプレイリストを削除することができる。ユーザが「オプション」ボタンをクリックすることで生成される画面を図３１に示す。
【００３３】
図３２及び図３３を参照すると、ＵＩソフトウェア２０はプレイリスト画面用の高度機能を備え、該高度機能によりユーザは様々な機能をより容易に実行することができる。例えば、「プレイリスト一覧」画面のプレイリスト上を押し留めると、ＵＩソフトウェア２０は「ポップアップ」吹き出し画面を生成し、それによってユーザは録音再生複合装置１２と他のデバイスのプレイリストを同期化したり、プレイリストに曲を追加したり、プレイリストを削除したりすることができる。プレイリスト同期化のフローを図１１０に示す。ユーザが「プレイリスト詳細一覧」画面中の曲を押し留めると、ＵＩソフトウェア２０は「ポップアップ」吹き出し画面を生成し、それによってユーザはプレイリスト内で曲を移動したり、プレイリストから曲を削除したり、プレイリストに曲を追加したりすることができる。
【００３４】
図３４は、図４に示した「デジタル無線」ボタンをユーザがクリックすると、ＵＩソフトウェア２０により生成される「デジタル無線」画面である。この画面は図１に示した音楽サーバ４２から入手できるデジタル無線チャンネルのリストを有し、該チャンネルはギブソンのデジタル無線サービス（Ｇｉｂｓｏｎ’ｓ  ｄｉｇｉｔａｌ  ｒａｄｉｏ  ｓｅｒｖｉｃｅ）と契約したユーザが聴くことができる。ギブソンのデジタル無線サービスは、前述の「８２１」出願及び「８１１」出願に詳細に記載されている。ユーザが「デジタル無線」ボタンをクリックし、かつその者が契約者でない場合には、ＵＩソフトウェア２０はその事実を示すとともに、該ユーザに対しサービスへの申し込みを促す画面を表示する。この画面の一例を図３５に示す。
【００３５】
「デジタル無線」画面は「戻る」及び「ホーム」ボタンを有し、これらボタンがクリックされると、それぞれ、ＵＩソフトウェア２０により画面が一画面戻され又はメインメニュー画面へ戻される。また「デジタル無線」画面は、ユーザがデジタル無線チャンネル内をサーチして希望のチャンネルを検索する「サーチ」ボタンと、ユーザが音楽サーバ４２から曲やアルバムを購入したりダウンロードしたりする「音楽ストア」ボタンを有している。ユーザがデジタルチャンネル内をサーチできるように、ＵＩソフトウェア２０は、録音再生複合装置１２に記録されたアルバム内をユーザがサーチするのを可能とする画面であり、図１１−図１７に示した画面とほぼ同様の一式の画面を生成する。
【００３６】
ユーザがデジタル無線チャンネルをクリックすると、ＵＩソフトウェア２０は音楽の解説と現在再生しているアルバムの画像を含む「デジタル無線詳細」画面の表示を生成する。この種の画面の一例を図３６に示す。ユーザがデジタル無線チャンネルを聴くには、単に「すぐ聴く」ボタンをクリックするだけであり、再生中のアルバムを購入するには、単に「アルバム購入」ボタンをクリックするだけであり、再生中の曲を購入するには、単に詳細なチャンネルリスト中の該当曲をクリックするだけである。
【００３７】
図３７を参照すると、ＵＩソフトウェア２０によって、ユーザは２つの異なる方法で音楽を管理できる。一つめは、ＵＩソフトウェア２０によって、ユーザは録音再生複合装置１２に記録されたプレイリストを「プレイリスト」ボタンをクリックすることで管理できる。二つめは、ＵＩソフトウェア２０によって、ユーザは、遠隔制御装置１４、ｉポッド、もしくは他の録音再生複合装置などの外部デバイスに記録された音楽を、「マイデバイス」ボタンをクリックすることで管理できる。
【００３８】
ユーザが「プレイリスト」ボタンをクリックすると、ＵＩソフトウェア２０は図３８に示した「プレイリスト管理」画面を生成する。ユーザが「新規プレイリスト作成」ボタンをクリックすると、ＵＩソフトウェア２０は図３９に示した「プレイリスト名の指定」画面を生成し、また、ユーザが新規プレイリスト名を入力した後に「プレイリスト名の指定」中の「つづける」ボタンをクリックすると、ＵＩソフトウェア２０は図４０に示した空のプレイリスト画面を生成する。図３９に示したブロックは前述の図１２に示したキーボードキーの一般表示であることに留意されたい。
【００３９】
ユーザが空のプレイリスト画面の「マイミュージックから曲を追加」ボタンをクリックすると、ＵＩソフトウェア２０は図４１に示した「曲情報追加」画面を生成する。また、この図４１の「曲情報追加」画面は、図３８に示したプレイリストの一つをクリックしても生成され、この画面により図４２に示した「プレイリスト詳細」画面が生成され、その画面中の「マイミュージックから曲を追加」ボタンをユーザはクリックする。「曲情報追加」画面が如何にして生成されるかにかかわらず、ユーザがプレイリストに曲を追加するにはその画面において「つづける」ボタンをクリックしなければならない。
【００４０】
ユーザが「つづける」ボタンをクリックすると、ＵＩソフトウェア２０は図４３−図４８に示した画面を生成する。初めに、ＵＩソフトウェア２０は図４３に示した「プレイリストアルバム一覧管理」を生成する。ユーザがこの画面からアルバムを選択すると、ＵＩソフトウェア２０は図４４に示した「プレイリストアルバム詳細一覧管理」を生成する。ユーザが「プレイリストアルバム詳細一覧管理」に含まれる曲リストから曲を選択すると、ＵＩソフトウェア２０は図４５に示した「どのダイアログを実行するか」を生成し、該画面はユーザに３つのオプションを与える。ユーザは、プレイリスト管理処理が開始されたときに、「追加」ボタンをクリックすることでユーザが独自に選択したプレイリストに曲を簡単に加えることができる。この場合、ＵＩソフトウェア２０は曲をそのプレイリストに追加し、その上、ユーザが別の曲を追加できるように「プレイリストアルバム詳細一覧管理」（図４６参照）を再表示する。また、ユーザは「追加＆進む」ボタンをクリックすることで、該プレイリストに曲を追加するとともに該プレイリストへ進むこともできる。この場合、ＵＩソフトウェア２０は曲を追加するとともに「プレイリスト詳細」画面（図４７）を再表示する。いったんこの画面にもどると、ユーザは曲をクリック＆ホールドして画面を「スーパー編集」モードにすることができ、プレイリスト（図４８）中で曲を上下移動できる。最後に、プレイリスト管理処理が開始されたときにユーザが独自に選択したプレイリストの替わりに別のプレイリストに曲を追加することを選択することもできる。
【００４１】
ユーザが図３７に示した「マイデバイス」ボタンをクリックすると、ＵＩソフトウェア２０は図４９に示した「マイデバイス詳細」画面を生成する。この画面はユーザによって付設され、録音再生複合装置１２から音楽を記録することのできる外部デバイスの全てのリストを有する。図４９に示したように、ユーザは「取外し」ボタンをクリックすることでデバイスを取外すことができ、その場合には、ＵＩソフトウェア２０はユーザに対し該デバイスを取外したいか確認を促す画面（図５０）を生成し、また、「別のデバイス追加」ボタンをクリックすることで別のデバイスを追加することもできる。ユーザが「別のデバイス追加」ボタンをクリックすると、ＵＩソフトウェア２０は新規デバイスの名前を打ち込む画面（図５１）を生成し、また、ユーザが該画面で「続ける」ボタンをクリックすると、新たなデバイスが追加された「マイデバイス詳細」画面を再表示する。ユーザが既に使用されているデバイスの名前を打ち込んだ場合には、ＵＩソフトウェア２０はその名前が付いたデバイスを含む「マイデバイス詳細」画面を再表示する。
【００４２】
ユーザが「マイデバイス詳細」画面に含まれるデバイスの一つをクリックすると、ＵＩソフトウェア２０は選択したデバイスに記録されているプレイリスト、曲、又はアルバムを含む全ての音楽リストを有する「デバイス詳細」画面を生成する。このタイプの画面の一例を図５２に示す。「デバイス詳細」画面には、該デバイスに記録されている曲数、これらの曲で使用されるメモリ量、該デバイスのメモリ残量に関する情報が含まれる。また、この画面には、「オプション」ボタン、即ち、該ボタンが選択されるとＵＩソフトウェア２０によってユーザがデバイス名を編集したりデバイスを取外したりするのに使用する画面（図９５）が生成されるボタン、ならびに、ユーザが該デバイスに記録されている曲、アルバム、又はプレイリストを削除できるように、該デバイスに記録された各曲、アルバム、又はプレイリスト毎に「削除」ボタンを有する。
【００４３】
また「デバイス詳細」画面は、デバイスに音楽を追加するのに使う「音楽追加」ボタンも有する。ユーザがこのボタンをクリックすると、ＵＩソフトウェア２０は、曲又はプレイリストを単にクリックすることで曲又はプレイリストを追加できること、及びアルバムボタンをクリック＆ホールドすることでアルバムを追加できることを表示する「デバイス情報に曲を追加」画面（図５３）を生成する。ユーザがこの画面で「つづける」ボタンをクリックすると、ＵＩソフトウェア２０は図４に示した「音楽を聴く」画面を再表示する。
【００４４】
アルバム又はアルバムからの曲を追加するため、ユーザが「音楽を聴く」画面中の「マイミュージック」ボタンをクリックすると、ＵＩソフトウェア２０は図５に示した「アルバム一覧」画面を表示する。該画面中に表示されたアルバム上をユーザがクリック＆ホールドすると、該アルバムを追加するデバイスを指示するようユーザに促す画面をＵＩソフトウェア２０は生成する。該画面を図５４に示す。
【００４５】
図５４に示したように、ユーザにはアルバムをコピーする場所について３つのオプションがある。最初のオプションは、「追加」ボタンをクリックすることでデバイス管理処理が開始された際に、ユーザが独自に選択したデバイスにアルバムをコピーすることである。ユーザがこのオプションを選択すると、ＵＩソフトウェア２０はアルバムをデバイスに追加し、次に、ユーザが別のアルバムを追加できるように「アルバム一覧」画面を再表示する。またユーザは「追加＆進む」ボタンをクリックすることで、アルバムを追加しかつ該デバイスへ進むこともできる。この場合、ＵＩソフトウェア２０はアルバムを追加し、かつ図５２に示した「デバイス詳細」画面を再表示する。最後に、ユーザは、デバイス管理処理が開始された際にユーザが独自に選択したデバイスの替わりに別のデバイスにアルバムを追加することを選択することもできる。
【００４６】
アルバムから曲を追加するには、ユーザは、図５の「アルバム一覧」画面中のアルバムをクリックし、それによりＵＩソフトウェア２０に図６に示した「アルバム詳細」画面を表示させ、追加すべき曲をクリックする。ユーザが追加すべき曲をクリックすると、ＵＩソフトウェア２０はこの曲を追加するデバイスを指定するようユーザに促す画面を生成する。該画面を図５５に示す。図５４に示した画面の場合と同じように、ユーザは曲をコピーする場所について３つのオプションを有する。これらのオプションは図５４について上述したオプションと同様である。つまり、デバイス管理処理が開始された際にユーザによって選択されたデバイスに曲をコピーするとともに「アルバム詳細」画面を再表示する、曲をコピーするとともに該コピーした曲を含む「デバイス詳細」を表示する、もしくは、曲を別のデバイスにコピーすることができる。
【００４７】
プレイリストは同様の方法でデバイスに追加される。プレイリストを追加するなら、ユーザは「音楽を聴く」画面中の「プレイリスト」ボタン（図４）をクリックし、そうするとＵＩソフトウェア２０は図２８に示した「プレイリスト一覧」画面を表示する。該画面に表示されたプレイリストをユーザがクリックすると、ＵＩソフトウェア２０はプレイリストを記録するデバイスを指定するようユーザに促す画面を生成する（図５６参照）。曲に関して詳細に上述したように、該画面から「追加」「追加＆進む」又は「別のデバイスを選択」をクリックすることによって、ユーザはプレイリストを追加することができる。
【００４８】
図３に戻って参照すると、この画面に示した「音楽取得」ボタンをクリックすることによって、録音再生複合装置１２に音楽を購入及びダウンロードするのに本発明のＵＩソフトウェア２０を使用することもできる。ユーザがこのボタンをクリックすると、ＵＩソフトウェア２０により遠隔制御装置は「音楽取得」画面（図５７及び図８９に示した別形態参照）を生成する。この「音楽取得」画面は、ビートルズ全集などの注目音楽作品を表示する特集領域を含み、「特集音楽」「ジャンルで閲覧」及び「アーティスト、アルバム、曲でサーチ」ボタンを有する。ユーザが「特集音楽」ボタンをクリックすると、ＵＩソフトウェア２０は特集音楽のリストを含む「特集音楽詳細」画面を生成する。かかる画面の一例を図５８に示す。
【００４９】
ユーザが「ジャンルで閲覧」ボタンをクリックすると、ユーザが選択できるジャンルリストを含む「音楽取得ジャンル」画面（図５９）をＵＩソフトウェア２０は生成する。ユーザがこのリストからジャンルを選択すると、ＵＩソフトウェア２０は「特集音楽」ボタンと「ジャンルアーティスト閲覧」ボタンを有する「ジャンル詳細」画面（図６０）を生成する。ＵＩソフトウェア２０は、ユーザが「特集音楽」ボタンをクリックすると、選択されたジャンル（図６１）の特集音楽のリストを示す画面を生成し、ユーザが「ジャンルアーティスト閲覧」ボタンをクリックすると、選択されたジャンル（図６２）のアーティストのリストを有する画面を生成する。
【００５０】
図６２に示したリストからアーティストを選択すると、ＵＩソフトウェア２０は、そのアーティストに関するアルバムのリストを含む画面を生成し（図６３）、このリストからアルバムを選択すると、ＵＩソフトウェア２０は、このアルバム又はこのアルバムの曲を購入するのにユーザが使用する「アルバム又は曲を購入」画面を生成する。「アルバム又は曲を購入」画面の一例を図６４に示す。この画面は該画面下方部分の位置にステータス部分（図６４には示しておらず、図９０に示した各画面の下方部分を参照）を有し、該部分は、再生中の曲に関する情報ならびに音楽ＣＤがリッピング中又は焼き付け中であるかどうかを示す情報を表示している。この曲情報は次の順、即ち、アーティスト、曲名、アルバムタイトルの順でスクロールアップする。これら項目の何れかが水平方向に長すぎる場合には、全文字列が表示されるまで左から右へスクロール表示する。また、曲情報は経過タイム及び再生残りタイムも含む。これら項目の各々は約５秒間表示されたあと他方の項目に切り替わる。
【００５１】
焼き付け又はリッピング処理中の場合には、その事実を示すアイコンがシャッフル／リピート項目の替わりに現れ、該シャッフル／リピート項目は一時的に左へ移動する（図２１の画面の右側下方部分参照）。画面下のそのステータスバーは、各々１画素幅の１５部分に分割されている。リッピング又は焼き付けが完了すると、そのステータス情報は消え、シャッフル／リピート項目がそこの通常位置に戻る。
【００５２】
ユーザがこの画面中の曲をクリックすると、ＵＩソフトウェア２０はその曲のサンプルを再生し（図６５参照）、ユーザが「このアルバムを購入」ボタン又は「曲購入」ボタンをクリックすると、ＵＩソフトウェア２０は、音楽サーバ４２が選択されたアルバム又は曲を録音再生複合装置１２へダウンロードさせるようにする。この処理中に生成される画面を、購入を確認する確認画面である図６６及びダウンロードの進捗を示すダウンロード進捗画面である図６７に示す。
【００５３】
図６８は、ＵＩソフトウェア２０によって生成され、音楽サーバ４２で利用可能な音楽をアーティスト名、アルバムタイトル、及び曲タイトルによってサーチするのに使用される「サーチ」画面である。ユーザが「アーティスト名」ボタン及び「アルバムタイトル」ボタンをこの画面でクリックすると、ＵＩソフトウェア２０は図６９及び図７０に示したサーチ入力画面を生成する。ユーザがこれら２つの画面のいずれの「結果参照」画面をクリックしても、ＵＩソフトウェア２０は同じサーチ結果画面、即ち図７１に示した画面を生成する。ユーザが図６８に示した「サーチ」画面中の「曲タイトル」ボタンをクリックすると、ＵＩソフトウェア２０は図７２に示したサーチ入力画面を生成し、ユーザがこの画面の「結果参照」ボタンをクリックすると、図７３に示したサーチ結果画面を生成する。
【００５４】
ＵＩソフトウェア２０は、検索結果が多すぎる場合にはその事実を表示する画面（図７４）を生成し、アルバムタイトル又は曲のサーチ結果が完全一致した場合には、その特定されたアルバム又は曲を含む「アルバム又は曲を購入」画面を生成する。同様の方法で、サーチにより特定のアーティストが特定された場合には、ＵＩソフトウェア２０はその特定されたアーティストによるアルバムのリストを含む画面を生成する。
【００５５】
図７５を参照すると、図７５中でイベントドリブンフローと称する特定のイベントを実行すると、本発明のＵＩソフトウェア２０はいくつかの処理を自動的に開始する。ユーザがＣＤドライブ２６（図１）にＣＤを挿入すると、このＣＤが音楽ＣＤかブランクＣＤかによってＵＩソフトウェア２０はリッピングフローか焼き付けフローを開始する。ＣＤがブランクＣＤの場合には、ＵＩソフトウェア２０は焼き付けフローを開始する。ＣＤが音楽を含む音楽ＣＤの場合には、ＵＩソフトウェア２０はリップフローを開始する。また、遠隔制御装置１４、ｉポッド、もしくはＭＰ３などの外部デバイスが録音再生複合装置１２に接続されている場合には、ＵＩソフトウェア２０は外部デバイスが有する音楽情報と録音再生複合装置１２が有する音楽情報との同期を試みるデバイス付設フローを開始し（図９４及び図１０６、図１０７参照）、また、ＵＩソフトウェア２０は一定期間毎にソフトウェア更新フローを自動的に開始し、該フローによってＵＩソフトウェア２０と録音／再生ソフトウェア３２（図１）を音楽サーバ４２から受信される情報を使用して更新する。
【００５６】
ＣＤドライブ２６（図１）中にＣＤが挿入されると、ＵＩソフトウェア２０はそのＣＤを評価し、そのシステムでそのＣＤを再生できるかどうか、そのシステムにインポートできる音楽をそのＣＤが含むかどうか、もしくはそのシステムによってそのＣＤに書き込みできるかどうかを判断する。仮にそうでない場合には、ＵＩソフトウェア２０はユーザにその事実を知らせ、そのＣＤを取り出すように促す画面を生成し表示する。この画面は、ＣＤが挿入される前にＵＩソフトウェア２０が表示していた最後の画面を覆うように現れる。
【００５７】
ＣＤがブランクＣＤの場合には、ＵＩソフトウェア２０は以下より詳細に説明する焼き付けフローに準じた処理を開始する。ＣＤが音楽を含む音楽ＣＤの場合には、ＵＩソフトウェア２０はそのＣＤを評価し、そのＣＤが録音再生複合装置１２に既にインポートされているかどうかを判断する。そのＣＤが録音再生複合装置１２に既に記録されている場合には、ＵＩソフトウェア２０はその事実を表示し「アルバムへ進む」ボタンを含む画面を生成し、ユーザはこのボタンをクリックして録音再生複合装置１２に記録されているアルバムを表示する「アルバム詳細」画面を開くことができる。そのＣＤが記録されていない場合には、ＵＩソフトウェア２０はローカルＣＤＤＢ３６をチェックし、そのＣＤがそのデータベースにリストされているかどうかを判断する。
【００５８】
そのＣＤがローカルＣＤＤＢ３６に存在する場合には、ＵＩソフトウェア２０はＣＤＤＢ３６にそのＣＤに関するリストが一つだけ存在することを確かめるべくチェックする。それが適切であれば、ＵＩソフトウェア２０は、例えばＣＤ名、曲名、曲の再生時間などのそのデータベースに含まれる情報を用いて、そのＣＤの曲リストのほか、そのＣＤに関連しローカル画像データベース３８に記録されているどんな画像も含む「ＣＤ詳細」画面を表示する。ＣＤＤＢ３６に２以上のリストがある場合には、複数の登録データリストを含んでおり、ユーザに対して「ＣＤ詳細」画面で使用するのに適当な登録データを選択するように促す画面をＵＩソフトウェア２０が生成する。どの登録データを選択すべきかわからない場合、もしくは他の何らかの理由からリッピング処理をキャンセルすることにした場合には、その時点で、ユーザはキャンセルできる。また、ローカル画像データベース３８がそのＣＤに関する画像を何も有していない場合には、録音再生複合装置１２はそのインターネット通信システム４０（図１）を用いて遠隔画像データベースの画像を検索しようと試みる。ローカル画像データベース３８にも遠隔画像データベースにも画像が見つからない場合には、ＵＩソフトウェア２０は画像なしで「ＣＤ詳細」画面を表示する。
【００５９】
そのＣＤがローカルＣＤＤＢ３６にリストされておらず、録音再生複合装置１２によってインターネット上で遠隔ＣＤＤＢにアクセスするのにインターネット接続が利用できない場合には、ＵＩソフトウェア２０は、例えば、無題ＣＤ、曲１、曲２などのそのＣＤに関する一般情報を含む「一般的なＣＤ詳細」画面を生成する。インターネット接続が利用でき、録音再生複合装置１２が遠隔ＣＤＤＢにアクセスできる場合には、ＵＩソフトウェア２０は遠隔ＣＤＤＢデータベースにそのＣＤに関するリストが一つだけ存在することを確かめるべくチェックする。もし一つだけ存在する場合には、ＵＩソフトウェア２０はそのデータベースにある情報、例えば、ＣＤ名、曲名、曲の再生時間など（メタデータと称することもある）を用いて、そのＣＤの曲リストのほか、そのＣＤに関連しローカル画像データベース３８に記録されているどんな画像も含む「ＣＤ詳細」画面を表示する。２以上の登録データが存在する場合には、ＵＩソフトウェア２０はユーザに対してそのシステムで使用するのに適切な登録データを選択するように促す画面を生成する。そのＣＤに関する情報がローカルＣＤＤＢ３６にあろうが遠隔ＣＤＤＢにあろうが、この情報は適切なものである。
【００６０】
「ＣＤ詳細」画面が表示され２、３秒すると、そのＣＤに関してどんなことがしたいかユーザに対して尋ねる画面を「ＣＤ詳細」画面を覆うようにして、ＵＩソフトウェア２０は生成し表示する。ユーザがＣＤの再生を選択する場合には、ＵＩソフトウェア２０が「ＣＤ詳細」画面を表示し、ユーザは再生すべきＣＤの曲を選択でき、あるいは、ユーザがＣＤの再生記録を選択する場合には、ＵＩソフトウェア２０は「ＣＤ詳細」画面を覆うように「ポップアップ」吹き出し画面を表示し、そのＣＤが記録され且つ再生が開始されていることを示す。この場合における再生が録音再生複合装置１２に記録されたリッピングされた音楽を使用して実行されることに留意されたい。所定時間すると「ポップアップ」画面は消え、「ＣＤ詳細」画面だけが再度表示される。
【００６１】
またユーザは単にＣＤの記録を選択することもできる。この場合ＵＩソフトウェア２０は、そのＣＤが記録中であることを示す「ポップアップ」吹き出し画面を表示する。所定時間の後、その「ポップアップ」吹き出し画面は消え、「ＣＤ詳細」画面が再度表示される。この画面の下方部分には、リッピングが現在実行されていることを示すアイコンを含む「現在再生中」領域を有する。また、ユーザが単にＣＤの再生を選択すると、この場合に表示される「ＣＤ詳細」画面は、そのＣＤの任意の曲をあとで録音再生複合装置１２に記録できるようにリップアイコンを有している（図９０に示した右画面参照）。またユーザはリップフローのキャンセルを選択することもでき、この場合には「ＣＤ詳細」画面が、あとでそのＣＤをリッピングできるようにリップアイコンとともに表示される。
【００６２】
ＣＤがリッピングされず、かつそのＣＤが録音再生複合装置１２中に残置される場合には、マイミュージックの一連の画面内のＣＤメニュー中でユーザはそのＣＤを見つけることができる。そのＣＤは既にインポートされたＣＤと色及びアイコン画像が若干違って見え、ユーザが「ＣＤ詳細」画面に進むと、いつかこの先ユーザがリッピングを開始できるようにリップアイコンが現れる。
【００６３】
ブランクＣＤを録音再生複合装置１２に挿入すると、そのＣＤに関しどのようなことがしたいのかユーザに対して尋ねる画面をＵＩソフトウェア２０は生成する。ユーザには３つのオプションがある。ユーザは「マイミュージックへ進む」ボタン又は「プレイリストへ進む」ボタンをクリックし、アルバム詳細画面やプレイリスト詳細画面へ進んでそのＣＤに曲、アルバム、もしくはプレイリストを焼き付けることができる。またその替わりにユーザは「今は何もしない」ボタンをクリックすることもできる。
【００６４】
ユーザが「マイミュージックへ進む」ボタンまたは「プレイリストへ進む」ボタンをクリックすると、アルバム詳細画面及びプレイリスト詳細画面のそれぞれは、今度は焼き付けアイコンを有し、焼き付けを開始できることを示す（図９０に示した左画面）。ユーザが焼き付けアイコンをクリックすると、ＣＤが適切にフォーマットされていることを確認するチェックがなされる。仮に適切なフォーマットがなされていない場合には、ＵＩソフトウェア２０はそのことを表示し、且つ焼き付けをキャンセルするようユーザに促す画面を生成する。ＣＤが適切にフォーマットされている場合には、システムは、そのＣＤが音楽やＭＰ３  ＣＤを焼き付けるのに十分なメモリがあるか調べるためチェックする。仮に十分なメモリがない場合には、そのＣＤに十分なメモリが無いことを示し、かつ焼き付ける曲、アルバム、又はプレイリストの数を減らすようユーザに促す画面を生成する。メモリがＭＰ３  ＣＤを焼き付けるには十分であるが、音楽ＣＤを焼き付けるには十分でない場合には、ＵＩソフトウェア２０はその事実を示し、かつＭＰ３  ＣＤで良いかどうかを指示するようユーザに促す画面を生成する。もし良ければ、システムはＭＰ３  ＣＤを焼き付けるのを開始し、ＵＩソフトウェア２０は焼き付けの進捗を示す画面を生成する（図９３）。
【００６５】
上述した全リップフローを図９６−図９８に示し、上述した全焼き付けフローを図９９、図１００に示す。また、リップフローや焼き付けフローの別形態を図１０１−図１０４に示す。
【００６６】
図７６はＵＩソフトウェア２０により生成され表示される画面であり、該画面によりユーザはシステムの設定やプレファレンスを調節できる。ユーザが「設定＆更新」ボタンを選択すると、ＵＩソフトウェア２０は図７７に示した画面を生成表示し、該画面はアカウントプレファレンス、ネットワーク設定、及びシステム更新をユーザが設定するのに用いられる。ユーザが「音楽記録」ボタンを選択すると、ＵＩソフトウェア２０は図７８に示した生成画面によってデバイスに記録する音楽の質をユーザが設定できるようにする。ユーザが「パワー＆メモリ」ボタンを選択すると、ＵＩソフトウェア２０は図７９−図８１に示した画面を生成してデバイスのバッテリー状態及び録音再生複合装置１２や遠隔制御装置１４などの外部デバイスのメモリ状態をチェックできるようにする。
【００６７】
ユーザは「バックアップ＆復元」ボタンをクリックし、かつ、図８２に示した「音楽をバックアップ」又は「バックアップから復元」ボタンを選択することでバックアップ又は以前にバックアップした音楽を復元できる。ユーザが「音楽をバックアップ」ボタンをクリックすると、ＵＩソフトウェア２０は、ＵＳＢ接続もしくはネットワーク接続を使用して録音再生複合装置１２に接続されている外部バックアップデバイスが存在するか確かめるべくチェックし、接続されていない場合には、そのことを表示するエラー画面を生成表示する。その画面の一例を図８３に示す。外部デバイスが存在する場合には、ＵＩソフトウェア２０は録音再生複合装置１２からの全音楽を記録するのに十分な空きが外部バックアップデバイスにあるか確かめるべくチェックする。十分な空きが無い場合には、ＵＩソフトウェア２０は図８４に示したエラー画面を生成表示する。録音再生複合装置１２をバックアップするのに十分なメモリ領域がバックアップデバイスにある場合には、ＵＩソフトウェア２０は、いつ録音再生複合装置１２が最後にバックアップされたかを示す画面を生成する画面（図８５）を生じる。ユーザがこの画面に含まれる「バックアップ」ボタンをクリックすると、ＵＩソフトウェア２０は録音再生複合装置１２のバックアップを開始し、このバックアップの進捗を示すステータス画面を表示する（図８６参照）。
【００６８】
ユーザが図８２に示した「バックアップから復元」ボタンをクリックすると、ＵＩソフトウェア２０は、バックアップを有している外部デバイスがＵＳＢ又はネットワーク接続を使用して録音再生複合装置１２に接続されているか確かめ、かつ、復元すべきバックアップを保存するのに十分なメモリが録音再生複合装置１２にあることを確かめるためチェックする。外部デバイスが接続されていない場合には、ＵＩソフトウェア２０は図８３に示したエラー画面を生成し、また、十分なメモリが無い場合には、ＵＩソフトウェア２０は図８４に示したエラー画面を生成する。外部デバイスが接続され、かつ、十分なメモリがある場合には、ＵＩソフトウェア２０は、バックアップを復元すると録音再生複合装置１２中の全データが削除されることをユーザに警告し、かつ、処理を実行したい旨を「復元」ボタンをクリックすることで認証するようユーザに促す警告画面を生成する（図８７）。ユーザが「復元」ボタンをクリックすると、ＵＩソフトウェア２０はバックアップの復元を開始し、図８８に示した復元進捗状態画面を表示する。
【００６９】
前述の「８１１」特許出願中で詳細に説明されているように、音楽サーバ４２（図１）は、ＤＣＭＡ規格で生産されたものでレコード会社にライセンスされていないデジタル無線コンテンツの１００チャンネルへのアクセスを提供するよう設計されている。デジタル無線コンテンツは本明細書及び前述の同時継続中特許出願で説明した録音再生複合装置１２を備えていないシステムでは利用できない。音楽サーバ４２に含まれるデジタル・データ・ストアにより、ユーザは１曲につき０．９９ドルで、その合計をクレジットカードで支払うことで曲を購入することができる。曲は、ウインドーズ・メディア圧縮データ、ＡＡＣ、ＯＯＧＶＯＩ、及び実ネットワークフォーマットを含む様々な異なるフォーマットにダウンロードできる。
【００７０】
以上、録音再生複合システム用の新規なユーザインタフェースにかかる本発明の特定の実施形態を説明したが、かかる参照は添付の特許請求の範囲に規定されている場合を除き本発明の範囲を限定するものと解釈されることを意図するものではない。
【図面の簡単な説明】
【００７１】
【図１】本発明のユーザ・インタフェース・ソフトウェアを有する録音再生複合装置の一実施形態を示すブロック図である。
【図２】本発明のユーザ・インタフェース・ソフトウェアによって生成される画面を印刷出力したものである。
【図３】本発明のユーザ・インタフェース・ソフトウェアによって生成される画面を印刷出力したものである。
【図４】本発明のユーザ・インタフェース・ソフトウェアによって生成される画面を印刷出力したものである。
【図５】本発明のユーザ・インタフェース・ソフトウェアによって生成される画面を印刷出力したものである。
【図６】本発明のユーザ・インタフェース・ソフトウェアによって生成される画面を印刷出力したものである。
【図７】本発明のユーザ・インタフェース・ソフトウェアによって生成される画面を印刷出力したものである。
【図８】本発明のユーザ・インタフェース・ソフトウェアによって生成される画面を印刷出力したものである。
【図９】本発明のユーザ・インタフェース・ソフトウェアによって生成される画面を印刷出力したものである。
【図１０】本発明のユーザ・インタフェース・ソフトウェアによって生成される画面を印刷出力したものである。
【図１１】本発明のユーザ・インタフェース・ソフトウェアによって生成される画面を印刷出力したものである。
【図１２】本発明のユーザ・インタフェース・ソフトウェアによって生成される画面を印刷出力したものである。
【図１３】本発明のユーザ・インタフェース・ソフトウェアによって生成される画面を印刷出力したものである。
【図１４】本発明のユーザ・インタフェース・ソフトウェアによって生成される画面を印刷出力したものである。
【図１５】本発明のユーザ・インタフェース・ソフトウェアによって生成される画面を印刷出力したものである。
【図１６】本発明のユーザ・インタフェース・ソフトウェアによって生成される画面を印刷出力したものである。
【図１７】本発明のユーザ・インタフェース・ソフトウェアによって生成される画面を印刷出力したものである。
【図１８】本発明のユーザ・インタフェース・ソフトウェアによって生成される画面を印刷出力したものである。
【図１９】本発明のユーザ・インタフェース・ソフトウェアによって生成される画面を印刷出力したものである。
【図２０】本発明のユーザ・インタフェース・ソフトウェアによって生成される画面を印刷出力したものである。
【図２１】本発明のユーザ・インタフェース・ソフトウェアによって生成される画面を印刷出力したものである。
【図２２】本発明のユーザ・インタフェース・ソフトウェアによって生成される画面を印刷出力したものである。
【図２３】本発明のユーザ・インタフェース・ソフトウェアによって生成される画面を印刷出力したものである。
【図２４】本発明のユーザ・インタフェース・ソフトウェアによって生成される画面を印刷出力したものである。
【図２５】本発明のユーザ・インタフェース・ソフトウェアによって生成される画面を印刷出力したものである。
【図２６】本発明のユーザ・インタフェース・ソフトウェアによって生成される画面を印刷出力したものである。
【図２７】本発明のユーザ・インタフェース・ソフトウェアによって生成される画面を印刷出力したものである。
【図２８】本発明のユーザ・インタフェース・ソフトウェアによって生成される画面を印刷出力したものである。
【図２９】本発明のユーザ・インタフェース・ソフトウェアによって生成される画面を印刷出力したものである。
【図３０】本発明のユーザ・インタフェース・ソフトウェアによって生成される画面を印刷出力したものである。
【図３１】本発明のユーザ・インタフェース・ソフトウェアによって生成される画面を印刷出力したものである。
【図３２】本発明のユーザ・インタフェース・ソフトウェアによって生成される画面を印刷出力したものである。
【図３３】本発明のユーザ・インタフェース・ソフトウェアによって生成される画面を印刷出力したものである。
【図３４】本発明のユーザ・インタフェース・ソフトウェアによって生成される画面を印刷出力したものである。
【図３５】本発明のユーザ・インタフェース・ソフトウェアによって生成される画面を印刷出力したものである。
【図３６】本発明のユーザ・インタフェース・ソフトウェアによって生成される画面を印刷出力したものである。
【図３７】本発明のユーザ・インタフェース・ソフトウェアによって生成される画面を印刷出力したものである。
【図３８】本発明のユーザ・インタフェース・ソフトウェアによって生成される画面を印刷出力したものである。
【図３９】本発明のユーザ・インタフェース・ソフトウェアによって生成される画面を印刷出力したものである。
【図４０】本発明のユーザ・インタフェース・ソフトウェアによって生成される画面を印刷出力したものである。
【図４１】本発明のユーザ・インタフェース・ソフトウェアによって生成される画面を印刷出力したものである。
【図４２】本発明のユーザ・インタフェース・ソフトウェアによって生成される画面を印刷出力したものである。
【図４３】本発明のユーザ・インタフェース・ソフトウェアによって生成される画面を印刷出力したものである。
【図４４】本発明のユーザ・インタフェース・ソフトウェアによって生成される画面を印刷出力したものである。
【図４５】本発明のユーザ・インタフェース・ソフトウェアによって生成される画面を印刷出力したものである。
【図４６】本発明のユーザ・インタフェース・ソフトウェアによって生成される画面を印刷出力したものである。
【図４７】本発明のユーザ・インタフェース・ソフトウェアによって生成される画面を印刷出力したものである。
【図４８】本発明のユーザ・インタフェース・ソフトウェアによって生成される画面を印刷出力したものである。
【図４９】本発明のユーザ・インタフェース・ソフトウェアによって生成される画面を印刷出力したものである。
【図５０】本発明のユーザ・インタフェース・ソフトウェアによって生成される画面を印刷出力したものである。
【図５１】本発明のユーザ・インタフェース・ソフトウェアによって生成される画面を印刷出力したものである。
【図５２】本発明のユーザ・インタフェース・ソフトウェアによって生成される画面を印刷出力したものである。
【図５３】本発明のユーザ・インタフェース・ソフトウェアによって生成される画面を印刷出力したものである。
【図５４】本発明のユーザ・インタフェース・ソフトウェアによって生成される画面を印刷出力したものである。
【図５５】本発明のユーザ・インタフェース・ソフトウェアによって生成される画面を印刷出力したものである。
【図５６】本発明のユーザ・インタフェース・ソフトウェアによって生成される画面を印刷出力したものである。
【図５７】本発明のユーザ・インタフェース・ソフトウェアによって生成される画面を印刷出力したものである。
【図５８】本発明のユーザ・インタフェース・ソフトウェアによって生成される画面を印刷出力したものである。
【図５９】本発明のユーザ・インタフェース・ソフトウェアによって生成される画面を印刷出力したものである。
【図６０】本発明のユーザ・インタフェース・ソフトウェアによって生成される画面を印刷出力したものである。
【図６１】本発明のユーザ・インタフェース・ソフトウェアによって生成される画面を印刷出力したものである。
【図６２】本発明のユーザ・インタフェース・ソフトウェアによって生成される画面を印刷出力したものである。
【図６３】本発明のユーザ・インタフェース・ソフトウェアによって生成される画面を印刷出力したものである。
【図６４】本発明のユーザ・インタフェース・ソフトウェアによって生成される画面を印刷出力したものである。
【図６５】本発明のユーザ・インタフェース・ソフトウェアによって生成される画面を印刷出力したものである。
【図６６】本発明のユーザ・インタフェース・ソフトウェアによって生成される画面を印刷出力したものである。
【図６７】本発明のユーザ・インタフェース・ソフトウェアによって生成される画面を印刷出力したものである。
【図６８】本発明のユーザ・インタフェース・ソフトウェアによって生成される画面を印刷出力したものである。
【図６９】本発明のユーザ・インタフェース・ソフトウェアによって生成される画面を印刷出力したものである。
【図７０】本発明のユーザ・インタフェース・ソフトウェアによって生成される画面を印刷出力したものである。
【図７１】本発明のユーザ・インタフェース・ソフトウェアによって生成される画面を印刷出力したものである。
【図７２】本発明のユーザ・インタフェース・ソフトウェアによって生成される画面を印刷出力したものである。
【図７３】本発明のユーザ・インタフェース・ソフトウェアによって生成される画面を印刷出力したものである。
【図７４】本発明のユーザ・インタフェース・ソフトウェアによって生成される画面を印刷出力したものである。
【図７５】本発明のユーザ・インタフェース・ソフトウェアを用いて実行される４つのイベント・ドリブン・フローを示すブロック図である。
【図７６】ユーザに本発明のシステムのプレファレンスを調節可能とさせる本発明のユーザ・インタフェース・ソフトウェアによって生成される画面を印刷出力したものである。
【図７７】ユーザに本発明のシステムのプレファレンスを調節可能とさせる本発明のユーザ・インタフェース・ソフトウェアによって生成される画面を印刷出力したものである。
【図７８】ユーザに本発明のシステムのプレファレンスを調節可能とさせる本発明のユーザ・インタフェース・ソフトウェアによって生成される画面を印刷出力したものである。
【図７９】ユーザに本発明のシステムのプレファレンスを調節可能とさせる本発明のユーザ・インタフェース・ソフトウェアによって生成される画面を印刷出力したものである。
【図８０】ユーザに本発明のシステムのプレファレンスを調節可能とさせる本発明のユーザ・インタフェース・ソフトウェアによって生成される画面を印刷出力したものである。
【図８１】ユーザに本発明のシステムのプレファレンスを調節可能とさせる本発明のユーザ・インタフェース・ソフトウェアによって生成される画面を印刷出力したものである。
【図８２】ユーザに本発明のシステムのプレファレンスを調節可能とさせる本発明のユーザ・インタフェース・ソフトウェアによって生成される画面を印刷出力したものである。
【図８３】ユーザに本発明のシステムのプレファレンスを調節可能とさせる本発明のユーザ・インタフェース・ソフトウェアによって生成される画面を印刷出力したものである。
【図８４】ユーザに本発明のシステムのプレファレンスを調節可能とさせる本発明のユーザ・インタフェース・ソフトウェアによって生成される画面を印刷出力したものである。
【図８５】ユーザに本発明のシステムのプレファレンスを調節可能とさせる本発明のユーザ・インタフェース・ソフトウェアによって生成される画面を印刷出力したものである。
【図８６】ユーザに本発明のシステムのプレファレンスを調節可能とさせる本発明のユーザ・インタフェース・ソフトウェアによって生成される画面を印刷出力したものである。
【図８７】ユーザに本発明のシステムのプレファレンスを調節可能とさせる本発明のユーザ・インタフェース・ソフトウェアによって生成される画面を印刷出力したものである。
【図８８】ユーザに本発明のシステムのプレファレンスを調節可能とさせる本発明のユーザ・インタフェース・ソフトウェアによって生成される画面を印刷出力したものである。
【図８９】本発明の様々な特徴を示すユーザ・インタフェース・ソフトウェアによって生成される画面を印刷出力したものである。
【図９０】本発明の様々な特徴を示すユーザ・インタフェース・ソフトウェアによって生成される画面を印刷出力したものである。
【図９１】本発明の様々な特徴を示すユーザ・インタフェース・ソフトウェアによって生成される画面を印刷出力したものである。
【図９２】本発明の様々な特徴を示すユーザ・インタフェース・ソフトウェアによって生成される画面を印刷出力したものである。
【図９３】本発明の様々な特徴を示すユーザ・インタフェース・ソフトウェアによって生成される画面を印刷出力したものである。
【図９４】本発明のデバイス接続同期化処理を示すフロー図である。
【図９５】ユーザがデバイスの名前を編集したりデバイスを取外したりすることが可能な本発明によって生成される画面を印刷出力したものである。
【図９６】本発明のリッピング処理を示すフロー図である。
【図９７】本発明のリッピング処理を示すフロー図である。
【図９８】本発明のリッピング処理を示すフロー図である。
【図９９】本発明の焼き付け処理を示すフロー図である。
【図１００】本発明の焼き付け処理を示すフロー図である。
【図１０１】本発明のリッピング処理及び焼き付け処理の別の形を示すフロー図である。
【図１０２】本発明のリッピング処理及び焼き付け処理の別の形を示すフロー図である。
【図１０３】本発明のリッピング処理及び焼き付け処理の別の形を示すフロー図である。
【図１０４】本発明のリッピング処理及び焼き付け処理の別の形を示すフロー図である。
【図１０５】本発明のプレイリスト作成処理を示すフロー図である。
【図１０６】本発明のデバイス同期化処理を示すフロー図である。
【図１０７】本発明のデバイス同期化処理を示すフロー図である。
【図１０８】本発明のアルバム同期化処理を示すフロー図である。
【図１０９】本発明のアルバム同期化処理を示すフロー図である。
【図１１０】本発明のプレイリスト同期化処理を示すフロー図である。
【図１１１】本発明のソート処理及びビュー変更処理を示すフロー図である。
【図１１２】本発明のソート処理及びビュー変更処理を示すフロー図である。
【図１１３−１１５】本発明の３つの別の実施形態を示す図である。
【符号の説明】
【００７２】
１０    録音再生複合システム
１２    録音再生複合装置
１４    遠隔制御装置
１６    タッチ・センシティブ・ディスプレイ
２０    ユーザ・インタフェース・ソフトウェア
２２    遠隔制御コンピュータシステム
２４    遠隔制御通信システム
２６    ＣＤドライブ
２８    音楽データベース
３０    録音／再生コンピュータシステム
３２    録音／再生ソフトウェア
３４    録音／再生通信システム
３６    ローカル・コンパクトディスク・データベース（ＣＤＤＢ）
３８    ローカル画像データベース
４０    録音／再生インターネット通信システム
４２    音楽サーバコンピュータシステム
【図１】
2008505375.tif 000003
【図２】
2008505375.tif 000004
【図３】
2008505375.tif 000005
【図４】
2008505375.tif 000006
【図５】
2008505375.tif 000007
【図６】
2008505375.tif 000008
【図７】
2008505375.tif 000009
【図８】
2008505375.tif 000010
【図９】
2008505375.tif 000011
【図１０】
2008505375.tif 000012
【図１１】
2008505375.tif 000013
【図１２】
2008505375.tif 000014
【図１３】
2008505375.tif 000015
【図１４】
2008505375.tif 000016
【図１５】
2008505375.tif 000017
【図１６】
2008505375.tif 000018
【図１７】
2008505375.tif 000019
【図１８】
2008505375.tif 000020
【図１９】
2008505375.tif 000021
【図２０】
2008505375.tif 000022
【図２１】
2008505375.tif 000023
【図２２】
2008505375.tif 000024
【図２３】
2008505375.tif 000025
【図２４】
2008505375.tif 000026
【図２５】
2008505375.tif 000027
【図２６】
2008505375.tif 000028
【図２７】
2008505375.tif 000029
【図２８】
2008505375.tif 000030
【図２９】
2008505375.tif 000031
【図３０】
2008505375.tif 000032
【図３１】
2008505375.tif 000033
【図３２】
2008505375.tif 000034
【図３３】
2008505375.tif 000035
【図３４】
2008505375.tif 000036
【図３５】
2008505375.tif 000037
【図３６】
2008505375.tif 000038
【図３７】
2008505375.tif 000039
【図３８】
2008505375.tif 000040
【図３９】
2008505375.tif 000041
【図４０】
2008505375.tif 000042
【図４１】
2008505375.tif 000043
【図４２】
2008505375.tif 000044
【図４３】
2008505375.tif 000045
【図４４】
2008505375.tif 000046
【図４５】
2008505375.tif 000047
【図４６】
2008505375.tif 000048
【図４７】
2008505375.tif 000049
【図４８】
2008505375.tif 000050
【図４９】
2008505375.tif 000051
【図５０】
2008505375.tif 000052
【図５１】
2008505375.tif 000053
【図５２】
2008505375.tif 000054
【図５３】
2008505375.tif 000055
【図５４】
2008505375.tif 000056
【図５５】
2008505375.tif 000057
【図５６】
2008505375.tif 000058
【図５７】
2008505375.tif 000059
【図５８】
2008505375.tif 000060
【図５９】
2008505375.tif 000061
【図６０】
2008505375.tif 000062
【図６１】
2008505375.tif 000063
【図６２】
2008505375.tif 000064
【図６３】
2008505375.tif 000065
【図６４】
2008505375.tif 000066
【図６５】
2008505375.tif 000067
【図６６】
2008505375.tif 000068
【図６７】
2008505375.tif 000069
【図６８】
2008505375.tif 000070
【図６９】
2008505375.tif 000071
【図７０】
2008505375.tif 000072
【図７１】
2008505375.tif 000073
【図７２】
2008505375.tif 000074
【図７３】
2008505375.tif 000075
【図７４】
2008505375.tif 000076
【図７５】
2008505375.tif 000077
【図７６】
2008505375.tif 000078
【図７７】
2008505375.tif 000079
【図７８】
2008505375.tif 000080
【図７９】
2008505375.tif 000081
【図８０】
2008505375.tif 000082
【図８１】
2008505375.tif 000083
【図８２】
2008505375.tif 000084
【図８３】
2008505375.tif 000085
【図８４】
2008505375.tif 000086
【図８５】
2008505375.tif 000087
【図８６】
2008505375.tif 000088
【図８７】
2008505375.tif 000089
【図８８】
2008505375.tif 000090
【図８９】
2008505375.tif 000091
【図９０】
2008505375.tif 000092
【図９１】
2008505375.tif 000093
【図９２】
2008505375.tif 000094
【図９３】
2008505375.tif 000095
【図９４】
2008505375.tif 000096
【図９５】
2008505375.tif 000097
【図９６】
2008505375.tif 000098
【図９７】
2008505375.tif 000099
【図９８】
2008505375.tif 000100
【図９９】
2008505375.tif 000101
【図１００】
2008505375.tif 000102
【図１０１】
2008505375.tif 000103
【図１０２】
2008505375.tif 000104
【図１０３】
2008505375.tif 000105
【図１０４】
2008505375.tif 000106
【図１０５】
2008505375.tif 000107
【図１０６】
2008505375.tif 000108
【図１０７】
2008505375.tif 000109
【図１０８】
2008505375.tif 000110
【図１０９】
2008505375.tif 000111
【図１１０】
2008505375.tif 000112
【図１１１】
2008505375.tif 000113
【図１１２】
2008505375.tif 000114
【図１１３−１１５】
2008505375.tif 000115